(57)【要約】【課題】どの通信がどのプロトコルで行なわれたかを把握でき、ユーザにとって使い勝手の良い通信装置、通信方法、プログラム及び記憶媒体を提供すること。【解決手段】コンピュータネットワークを介して、複数の通信プロトコルで情報通信を行なうネットワーク通信ボード１０５と、その通信履歴を記憶するＲＡＭ１０２と、ＲＡＭ１０２に記憶された通信履歴をレポートとして出力する記録部１１０と、を有し、ＣＰＵ１００はＲＡＭ１０２に通信履歴として、ネットワーク通信ボード１０５が通信する際に用いた通信プロトコルについての情報を記憶させる。【選択図】　図１
2004015649.tif 000002
【特許請求の範囲】
【請求項１】
コンピュータネットワークを介して、複数の通信プロトコルで情報通信を行なう通信手段と、
前記通信手段の通信履歴を記憶する記憶手段と、
前記記憶手段に記憶された通信履歴をレポートとして出力する出力手段と、
を有し、
前記通信履歴は、前記通信手段が通信する際に用いた通信プロトコルについての情報を含むことを特徴とする通信装置。
【請求項２】
公衆回線を介して、ファクシミリ通信プロトコルによりファクシミリ送受信を行なう第１通信手段と、
コンピュータネットワークを介して、複数の通信プロトコルで情報通信を行なう第２通信手段と、
前記第１、第２通信手段による通信履歴を記憶する記憶手段と、
前記記憶手段に記憶された通信履歴をレポートとして出力する出力手段と、
を備え、
前記通信履歴は、前記第２通信手段が通信する際に用いた通信プロトコルについての情報を含むことを特徴とする通信装置。
【請求項３】
前記複数の通信プロトコルは、
Ｅ−ＭＡＩＬプロトコル、
ＦＴＰ（ファイルトランスファープロトコル）、
ＩＴＵ−Ｔ勧告のＴ．３７及びＦ．１８５に準拠している通信プロトコル、
または、
Ｔ．３７，Ｔ．３７Ａｍｄ１及びＦ．１８５に準拠している通信プロトコル、
のうち少なくとも２つの通信プロトコルであることを特徴とする請求項１または２に記載の通信装置。
【請求項４】
前記通信履歴は、
ＩＴＵ−Ｔ勧告のＴ．３７及びＦ．１８５に準拠している通信なのか、Ｔ．３７，Ｔ．３７Ａｍｄ１及びＦ．１８５に準拠している通信なのか、それ以外なのかを判別する情報を含むことを特徴とする請求項１または２に記載の通信装置。
【請求項５】
前記通信履歴は、
ＩＴＵ−Ｔ勧告のＴ．３７及びＦ．１８５に準拠している通信なのか、ＦＴＰによる通信なのか、それ以外なのかを判別する情報を含むことを特徴とする請求項１または２に記載の通信装置。
【請求項６】
コンピュータネットワークを介して、複数の通信プロトコルで情報通信を行なう通信工程と、
前記通信工程の通信履歴を記憶する記憶工程と、
前記記憶工程で記憶された通信履歴をレポートとして出力する出力工程と、
を含み、
前記通信履歴は、前記通信工程で通信する際に用いた通信プロトコルについての情報を含むことを特徴とする通信方法。
【請求項７】
公衆回線を介して、ファクシミリ通信プロトコルによりファクシミリ送受信を行なう第１通信工程と、
コンピュータネットワークを介して、複数の通信プロトコルで情報通信を行なう第２通信工程と、
前記第１、第２通信工程による通信履歴を記憶する記憶工程と、
前記記憶工程で記憶された通信履歴をレポートとして出力する出力工程と、
を含み、
前記通信履歴は、前記第２通信工程で通信する際に用いた通信プロトコルについての情報を含むことを特徴とする通信方法。
【請求項８】
コンピュータに、
コンピュータネットワークを介して、複数の通信プロトコルで情報通信を行なう通信工程と、
前記通信工程の通信履歴を記憶する記憶工程と、
前記記憶工程で記憶された通信履歴をレポートとして出力する出力工程と、
を実行させるプログラムであって、
前記通信履歴は、前記通信工程で通信する際に用いた通信プロトコルについての情報を含むことを特徴とするプログラム。
【請求項９】
コンピュータに、
公衆回線を介して、ファクシミリ通信プロトコルによりファクシミリ送受信を行なう第１通信工程と、
コンピュータネットワークを介して、複数の通信プロトコルで情報通信を行なう第２通信工程と、
前記第１、第２通信工程による通信履歴を記憶する記憶工程と、
前記記憶工程で記憶された通信履歴をレポートとして出力する出力工程と、
を実行させるプログラムであって、
前記通信履歴は、前記第２通信工程で通信する際に用いた通信プロトコルについての情報を含むことを特徴とするプログラム。
【請求項１０】
コンピュータに、
コンピュータネットワークを介して、複数の通信プロトコルで情報通信を行なう通信工程と、
前記通信工程の通信履歴を記憶する記憶工程と、
前記記憶工程で記憶された通信履歴をレポートとして出力する出力工程と、
を実行させるプログラムを格納したコンピュータが読み取り可能な記憶媒体であって、
前記通信履歴は、前記通信工程で通信する際に用いた通信プロトコルについての情報を含むことを特徴とする記憶媒体。
【請求項１１】
コンピュータに、
公衆回線を介して、ファクシミリ通信プロトコルによりファクシミリ送受信を行なう第１通信工程と、
コンピュータネットワークを介して、複数の通信プロトコルで情報通信を行なう第２通信工程と、
前記第１、第２通信工程による通信履歴を記憶する記憶工程と、
前記記憶工程で記憶された通信履歴をレポートとして出力する出力工程と、
を実行させるプログラムを格納したコンピュータが読み取り可能な記憶媒体であって、
前記通信履歴は、前記第２通信工程で通信する際に用いた通信プロトコルについての情報を含むことを特徴とする記憶媒体。
【発明の詳細な説明】
【０００１】
【発明の属する技術分野】
本発明は、複数の通信プロトコルで情報通信を行なうことのできる通信装置、通信方法、プログラム及び記憶媒体に関する。
【０００２】
【従来の技術】
従来から、ＬＡＮやインターネットを介して、複数の通信プロトコルで情報通信を行なうことのできる通信装置が存在する。そして、その中には、情報通信の結果を管理する為に、通信結果レポートを出力するものが提案されている。
【０００３】
【発明が解決しようとする課題】
しかしながら、従来は、どのようなプロトコルでデータが送受信されたかを明確に識別できるような通信結果レポートを出力するものはなかった。
【０００４】
従って、通信プロトコルごとに受信データの格納場所が異なる場合などは、受信日時のみのレポートでは、受信データに即座にアクセスすることができずに不便な場合があった。
【０００５】
また、どういった通信プロトコルで受信したか不明であると、送信元に返信する際の通信プロトコルの選択の幅が狭くなるという問題もあった。
【０００６】
例えば、ＩＴＵ−Ｔ勧告のＴ．３７及びＦ．１８５に準じたＳｉｍｐｌｅモードで受信したのか、或いは、Ｔ．３７，Ｔ．３７Ａｍｄ１及びＦ．１８５に準じたＦｕｌｌモードで受信したのかが判別できれば、以後の通信の際にどちらのモードでその送信元と通信すればよいのかという有効な情報になる。
【０００７】
本発明は上記従来技術の課題を解決するために成されたもので、その目的とするところは、どの通信がどのプロトコルで行なわれたかを把握でき、ユーザにとって使い勝手の良い通信装置、通信方法、プログラム及び記憶媒体を提供することにある。
【０００８】
【課題を解決するための手段】
上記目的を達成するため、本発明に係る装置は、
コンピュータネットワークを介して、複数の通信プロトコルで情報通信を行なう通信手段と、
前記通信手段の通信履歴を記憶する記憶手段と、
前記記憶手段に記憶された通信履歴をレポートとして出力する出力手段と、
を有し、
前記通信履歴は、前記通信手段が通信する際に用いた通信プロトコルについての情報を含むことを特徴とする。
【０００９】
上記目的を達成するため、本発明に係る他の装置は、
公衆回線を介して、ファクシミリ通信プロトコルによりファクシミリ送受信を行なう第１通信手段と、
コンピュータネットワークを介して、複数の通信プロトコルで情報通信を行なう第２通信手段と、
前記第１、第２通信手段による通信履歴を記憶する記憶手段と、
前記記憶手段に記憶された通信履歴をレポートとして出力する出力手段と、
を備え、
前記通信履歴は、前記第２通信手段が通信する際に用いた通信プロトコルについての情報を含むことを特徴とする。
【００１０】
前記複数の通信プロトコルは、Ｅ−ＭＡＩＬプロトコル、ＦＴＰ（ファイルトランスファープロトコル）、ＩＴＵ−Ｔ勧告のＴ．３７及びＦ．１８５に準拠している通信プロトコル、または、Ｔ．３７，Ｔ．３７Ａｍｄ１及びＦ．１８５に準拠している通信プロトコル、のうち少なくとも２つの通信プロトコルであることを特徴とする。
【００１１】
前記通信履歴は、ＩＴＵ−Ｔ勧告のＴ．３７及びＦ．１８５に準拠している通信なのか、Ｔ．３７，Ｔ．３７Ａｍｄ１及びＦ．１８５に準拠している通信なのか、それ以外なのかを判別する情報を含むことを特徴とする。
【００１２】
前記通信履歴は、ＩＴＵ−Ｔ勧告のＴ．３７及びＦ．１８５に準拠している通信なのか、ＦＴＰによる通信なのか、それ以外なのかを判別する情報を含むことを特徴とする。
【００１３】
上記目的を達成するため、本発明に係る方法は、
コンピュータネットワークを介して、複数の通信プロトコルで情報通信を行なう通信工程と、
前記通信工程の通信履歴を記憶する記憶工程と、
前記記憶工程で記憶された通信履歴をレポートとして出力する出力工程と、
を含み、
前記通信履歴は、前記通信工程で通信する際に用いた通信プロトコルについての情報を含むことを特徴とする。
【００１４】
上記目的を達成するため、本発明に係る他の方法は、
公衆回線を介して、ファクシミリ通信プロトコルによりファクシミリ送受信を行なう第１通信工程と、
コンピュータネットワークを介して、複数の通信プロトコルで情報通信を行なう第２通信工程と、
前記第１、第２通信工程による通信履歴を記憶する記憶工程と、
前記記憶工程で記憶された通信履歴をレポートとして出力する出力工程と、
を含み、
前記通信履歴は、前記第２通信工程で通信する際に用いた通信プロトコルについての情報を含むことを特徴とする。
【００１５】
上記目的を達成するため、本発明に係るプログラムは、
コンピュータに、
コンピュータネットワークを介して、複数の通信プロトコルで情報通信を行なう通信工程と、
前記通信工程の通信履歴を記憶する記憶工程と、
前記記憶工程で記憶された通信履歴をレポートとして出力する出力工程と、
を実行させるプログラムであって、
前記通信履歴は、前記通信工程で通信する際に用いた通信プロトコルについての情報を含むことを特徴とする。
【００１６】
上記目的を達成するため、本発明に係る他のプログラムは、
コンピュータに、
公衆回線を介して、ファクシミリ通信プロトコルによりファクシミリ送受信を行なう第１通信工程と、
コンピュータネットワークを介して、複数の通信プロトコルで情報通信を行なう第２通信工程と、
前記第１、第２通信工程による通信履歴を記憶する記憶工程と、
前記記憶工程で記憶された通信履歴をレポートとして出力する出力工程と、
を実行させるプログラムであって、
前記通信履歴は、前記第２通信工程で通信する際に用いた通信プロトコルについての情報を含むことを特徴とする。
【００１７】
上記目的を達成するため、本発明に係る記憶媒体は、
コンピュータに、
コンピュータネットワークを介して、複数の通信プロトコルで情報通信を行なう通信工程と、
前記通信工程の通信履歴を記憶する記憶工程と、
前記記憶工程で記憶された通信履歴をレポートとして出力する出力工程と、
を実行させるプログラムを格納したコンピュータが読み取り可能な記憶媒体であって、
前記通信履歴は、前記通信工程で通信する際に用いた通信プロトコルについての情報を含むことを特徴とする。
【００１８】
上記目的を達成するため、本発明に係る他の記憶媒体は、
コンピュータに、
公衆回線を介して、ファクシミリ通信プロトコルによりファクシミリ送受信を行なう第１通信工程と、
コンピュータネットワークを介して、複数の通信プロトコルで情報通信を行なう第２通信工程と、
前記第１、第２通信工程による通信履歴を記憶する記憶工程と、
前記記憶工程で記憶された通信履歴をレポートとして出力する出力工程と、
を実行させるプログラムを格納したコンピュータが読み取り可能な記憶媒体であって、
前記通信履歴は、前記第２通信工程で通信する際に用いた通信プロトコルについての情報を含むことを特徴とする。
【００１９】
【発明の実施の形態】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００２０】
まず、本発明に係る通信装置の実施形態として、ＩＴＵ−ＴのＴ．３７，Ｔ．３７Ａｍｄ１で規程されているインターネットファクシミリ装置について説明する。
【００２１】
（構成）
図１は、本ファクシミリ装置の概略構成を示すブロック図である。
【００２２】
同図において、ＣＰＵ１００は、システム制御部であり、装置全体を制御する。ＲＯＭ１０１は、ＣＰＵの制御プログラムを格納するものである。ＲＡＭ１０２は、プログラム制御変数等を格納するためのものである。また、オペレータが登録した送信宛先や各種設定値、装置の管理データ類、各種ワークバッファもＲＡＭに格納される。図２は、ＲＯＭ１０１及びＲＡＭ１０２のメモリマップを示す図である。
【００２３】
表示部１０４は、ＬＣＤ，ＬＥＤ等でユーザに表示通知するためのものである。操作部１０３は、キーボード、タッチパネル等で構成され、オペレータが各種入力操作を行うためのものである。画像読取部１０６は、コンタクトセンサやＣＣＤを使って、１００のＣＰＵからの制御に従い、原稿から画情報を読み込む。
【００２４】
ネットワーク通信ボード１０５は、ＬＡＮやＷＡＮなどのネットワークに接続し、外部の通信装置やサーバとデータの送受信を行う為のものである。
【００２５】
モデム１０７は、ファクシミリの送受信信号の変復調を行うものであり、ＮＣＵ１０８は、選択信号（ダイヤルパルスまたはトーンダイヤラ）を回線制御部１０９を介して、一般公衆回線に送出する機能を有し、呼び出し音の検出による自動着信動作も行う。
【００２６】
記録部１１０は、プリンタのエンジン部分であり、画信号を受け取り、記録紙に印字する機能や、印字後の記録紙を排出する機能を持っている。
【００２７】
本実施形態では、ネットワーク通信ボード１０５は、ＬＡＮやＷＡＮ（例えばインターネット）などのコンピュータネットワークを介して、複数の通信プロトコルで情報通信を行ない、ＣＰＵ１００は、その通信履歴をＲＡＭ１０２に記憶させる。そして、出力手段としての記録部１１０は、ＣＰＵ１００の制御により、ＲＡＭ１０２に記憶された通信履歴をレポートとして出力する。この時、ＣＰＵ１００はＲＡＭ１０２に通信履歴として、ネットワーク通信ボード１０５が通信する際に用いた通信プロトコルについての情報を記憶させる。
【００２８】
（登録・設定）
（１）ネットワークに接続する為の設定
まず最初に、ネットワークに接続する為の設定について説明する。
【００２９】
ネットワークに接続する為の設定項目としては、以下のものがある。
・自機のＩＰアドレス
・サブネットマスク
・デフォルトゲートウェイ
・ＤＮＳサーバアドレス
これらの設定項目は、ネットワーク経由で電子メールを送信したり、ＦＴＰを使ってデータを送受信したりするのに必要な設定項目である。
【００３０】
本実施の形態では、図３のように登録を行ったとする。
【００３１】
（２）送信の為の設定
＜電子メール送信設定＞
本ファクシミリ装置は、ネットワーク経由で電子メールとしてファクシミリのデータを送受信できる。
【００３２】
電子メールでデータ送信を行う為の基本的な設定として以下のものがある。
▲１▼ＳＭＴＰサーバ名
▲２▼ＳＭＴＰ送信ポート番号
▲３▼メールアドレス（Ｆｒｏｍ）
本実施の形態では、図４のように設定を行ったとする。
【００３３】
＜送信モード＞
テンキーからの直接の送信時に採用される設定である。
▲１▼送信モード：ＩＦＡＸ−Ｓｉｍｐｌｅ，ＩＦＡＸ−Ｆｕｌｌ，ＦＴＰ，Ｅ−Ｍａｉｌのいずれか
▲２▼添付画像の形式：Ｔｉｆｆ　Ｐｒｏｆｉｌｅ−Ｓ，Ｆ，ＰＤＦのいずれか
▲３▼符号化方式：ＴＩＦＦ−ＭＨ，ＭＲ，ＭＭＲ，ＰＤＦのいずれか
本実施の形態では、図５のように設定を行ったものとする。
【００３４】
＜ワンタッチキーへの登録＞
▲１▼メールアドレス（Ｔｏ）
▲２▼送信モード
▲３▼ＦＴＰ送信設定（送信モードでＦＴＰが選択された場合）
１．ＦＴＰサーバ名
２．ログイン名
３．パスワード
４．アップロード先のディレクトリ
ワンタッチキーへの登録方法は、ユーザ登録メニューの中の、「宛先登録」の項目を選択することにより行われる。
【００３５】
「宛先登録」の登録項目の階層は図のように構成されており、本実施の形態の「宛先登録」の中には、
・ワンタッチ
・短縮ダイヤル
・グループダイヤル
を登録することができる。
【００３６】
ここで、「ワンタッチ」を選択すると、本実施の形態では、１〜８３までのワンタッチキーを選択することができるようになる。
【００３７】
登録したいワンタッチキーを選択すると上記登録項目が現れ、それぞれの項目を設定することができる。
【００３８】
例えば、「送信モード」を選択した場合、画面には「ＩＦＡＸ−Ｓｉｍｐｌｅ」「ＩＦＡＸ−Ｆｕｌｌ」「ＦＴＰ」「Ｅ−Ｍａｉｌ」を選択できる。
【００３９】
ここで、ＦＴＰを選択した場合のみ、▲３▼の「ＦＴＰ送信設定」の項目が現れる。
【００４０】
本実施の形態では、図６のように設定を行ったとする。
【００４１】
（３）受信の為の設定
＜ＰＯＰ受信の設定＞
▲１▼ＰＯＰ３受信　する／しない
▲２▼ＰＯＰ３サーバ名
▲３▼ＰＯＰ３アカウント
▲４▼ＰＯＰパスワード
▲５▼ＰＯＰ受信間隔
本実施の形態では、ＰＯＰ３受信をするものとし、図７のように設定を行ったとする。
【００４２】
＜ＦＴＰ受信の設定＞
▲１▼ＦＴＰ受信設定
１．ユーザ名
２．パスワード
３．ディレクトリ
本実施の形態では、図８のように設定を行ったとする。
【００４３】
（動作）
以下、上述の設定が行われている状態で、それぞれの通信モードでの送信・受信についての動作について、図９〜図１２を用いて説明する。
【００４４】
また、一般公衆回線に対するファクシミリの送信・受信における通信の処理及び通信の種類の判別処理については、既に広く実施されているため、本実施の形態において説明は省略する。
【００４５】
＜送信処理＞
送信処理は、図９のフローチャートのように処理される。
【００４６】
（１）Ｓｉｍｐｌｅモードでの送信
上述の設定においては、送信モードがＩＦＡＸ−Ｓｉｍｐｌｅモードに設定されている為、操作部１０３にあるテンキーなどから直接送信する場合、ＩＦＡＸ−Ｓｉｍｐｌｅモードで送信される。
【００４７】
以下に、その手順を説明する。
【００４８】
まず、Ｓ１０１の宛先の入力処理を、操作部１０３のテンキーから行う場合には、Ｓ１１０に進み、テンキーにて”ｓｉｒｏ＠ｏｐｑ．ｃｏ．ｊｐ”を宛先として入力する。
【００４９】
更にステップＳ１１１に進み、宛先以外の電子メールの送信に必要なパラメータを、登録から読み込む。
【００５０】
宛先の入力が完了し、電子メール送信に必要なパラメータがそろうと、次に原稿をセットするように表示部１０４に表示し（Ｓ１０３）、原稿の読取処理に移行する。
【００５１】
原稿をセットし、操作部１０３にあるセットキーの押下または画像読取部１０６にある原稿センサーの検知によって原稿を読み込み、画像データをＲＡＭ１０２の画像蓄積部に取り込む（Ｓ１０４）。
【００５２】
画像蓄積後、送信方法の判断を行う（Ｓ１１０）。
【００５３】
宛先が電話番号であれば、Ｓ１１１に進み、従来のファクシミリ送信手順の処理に移る。すなわち、ステップＳ１１１でファクシミリ通信データに符号化し、ステップＳ１１２で送信先へ接続し、ステップＳ１１３でデータ送信を行なった後にステップＳ１０９に進む。
【００５４】
宛先が電子メールアドレスの場合、ステップＳ１０５に進み、ＩＦＡＸの送信であると判断し取り込まれた画像データは、ユーザ登録項目の”送信モード”で設定されている電子メールの符号化形式に従って符号化される。
【００５５】
符号化後、画像形式の設定に従って、添付画像ファイルを生成する。
【００５６】
ここでは、ＩＦＡＸ−Ｓｉｍｐｌｅモードが設定されているため、Ｔｉｆｆ　Ｐｒｏｆｉｌｅ−Ｓ形式の添付画像を作成する。
【００５７】
また、添付画像ファイルと宛先情報から、送信する為の電子メールデータを作成する（Ｓ１０６）。
【００５８】
上記手順により、電子メールヘッダと添付画像が作成されたら、ＳＭＴＰサーバへの接続を行って、電子メールデータの送信を行う（Ｓ１０８）。
【００５９】
送信処理後、通信結果記憶処理を行う（Ｓ１０９）。
【００６０】
ステップＳ１０９の通信結果記憶処理では、通信の管理番号、開始時刻、通信モード、相手先電話番号、及び通信結果を通信管理テーブルに記憶する。
【００６１】
ここでは、通信モードとして”ＩＦＡＸ−Ｓｉｍｐｌｅ”、相手先電話番号として”ｓｉｒｏ＠ｏｐｑ．ｃｏ．ｊｐ”が通信管理テーブルに記憶される。
【００６２】
通信の管理番号は、送信については０００１から始まり、１送信につき１ずつカウントアップする。また、４９９９まで達した場合、次のカウントアップで０００１に戻る。
【００６３】
受信については、５００１から始まり、１受信につき１ずつカウントアップする。また、９９９９まで達した場合、次のカウントアップで５００１に戻る。
【００６４】
（２）Ｆｕｌｌモードでの送信
次に、ワンタッチキー０１を押下して送信を行った場合の処理について説明する。
【００６５】
送信処理において、ワンタッチキー０１を押下すると、ステップＳ１０１からステップＳ１０２に進み、そこに登録されている送信情報の読み込み処理を行う。
【００６６】
ワンタッチキー０１には、宛先に”ｈａｎａｋｏ＠ｅｆｇｈ．ｃｏ．ｊｐ”と登録されている。
【００６７】
また、送信モードはワンタッチキーにも登録されている。ワンタッチキーに登録されている送信モードは、ユーザ登録の送信モードよりも優先順位が高く処理される。すなわち、ワンタッチキー０１が押下された場合、送信モードは”ＩＦＡＸ−Ｆｕｌｌ”として処理される。
【００６８】
その後、原稿をセットするように表示部１０４に表示する。（Ｓ１０３）
原稿をセットし、画像データをＲＡＭ１０２の画像蓄積部に取り込んだ後、符号化処理に移行する（Ｓ１０４→Ｓ１０５）。
【００６９】
符号化は、ワンタッチキー０１に登録されている送信モードの設定に従い、ＭＭＲ圧縮のＴｉｆｆ　Ｐｒｏｆｉｌｅ−Ｓ形式の添付画像を作成する。
【００７０】
上記手順により、電子メールヘッダと添付画像が作成されたら、Ｓｉｍｐｌｅモードの送信時と同様に、ＳＭＴＰサーバに接続し、電子メールとして送信を行う（Ｓ１０６→Ｓ１０７→Ｓ１０８）。
【００７１】
その後、通信結果記憶処理において、ＩＦＡＸ−Ｆｕｌｌモードでの送信を行なった旨を記憶し、送信処理を終了する（Ｓ１０９）。
【００７２】
（３）Ｅ−Ｍａｉｌモードでの送信
次に、ワンタッチキー０３を押下して送信を行った場合の処理について説明する。
【００７３】
送信処理において、ワンタッチキー０３を押下すると、そこに登録されている送信情報を読み込み処理を行う（Ｓ１０１→Ｓ１０２）。
【００７４】
ワンタッチキー０３には、宛先に”ｓａｂｕｒｏ＠ｌｍｎ．ｃｏ．ｊｐ”が登録されている。
【００７５】
また、送信モードは上述のように、ワンタッチキーに登録されている設定（図６参照）が優先される為、ワンタッチキー０３を押下した場合にはＥ−Ｍａｉｌモードによる送信が選択される。
【００７６】
その後、原稿をセットするように表示部１０４に表示する（Ｓ１０３）。
【００７７】
原稿をセットし、画像データをＲＡＭ１０２の画像蓄積部に取り込んだ後、符号化処理に移行する（Ｓ１０４→Ｓ１０５）。
【００７８】
符号化は、ワンタッチキー０３に登録されている送信モードの設定に従い、ＰＤＦ形式の添付画像を作成する（Ｓ１０６）。
【００７９】
ＰＤＦ形式の添付画像は、ＭＨ圧縮形式で画像ファイルを作成し、電子メールの添付ファイルとする。
【００８０】
ＰＤＦについては、Ｐｏｒｔａｂｌｅ　Ｄｏｃｕｍｅｎｔ　Ｆｏｒｍａｔ　Ｒｅｆｅｒｅｎｃｅ　Ｍａｎｕａｌに規程されているため、ここでは詳細な説明は省略する。
【００８１】
上記手順により、電子メールヘッダと添付画像が作成されたら、Ｓｉｍｐｌｅモードの送信時と同様に、ＳＭＴＰサーバに接続し、電子メールとして送信を行う（Ｓ１０７）。
【００８２】
ＰＤＦファイルを添付とする場合、ＩＴＵ−Ｔの勧告の規程にはないため、ＩＦＡＸのＳｉｍｐｌｅモードやＦｕｌｌモードとは区別して、Ｅ−Ｍａｉｌモードとしている。
【００８３】
その後、通信結果記憶処理において、Ｅ−Ｍａｉｌモードでの送信を行なった旨を記憶し、送信処理を終了する（Ｓ１０９）。
【００８４】
（４）ＦＴＰ送信
次に、ワンタッチキー０２を押下して送信を行った場合の処理について説明する。
【００８５】
送信処理において、ワンタッチキー０２を押下すると、そこに登録されている送信情報の読み込み処理を行う（Ｓ１０１→Ｓ１０２）。
【００８６】
ワンタッチキー０２には、メールアドレスは登録されておらず、送信モードとして”ＦＴＰ”が登録されている。よって、上述のようにワンタッチキーに登録されている送信モードに従い、送信モードとしてＦＴＰを採用する（Ｓ１０２）。その後、原稿をセットするように表示部１０４に表示する（Ｓ１０３）。
【００８７】
原稿をセットし、画像データをＲＡＭ１０２の画像蓄積部に取り込んだ後、符号化処理に移行する（Ｓ１０４→Ｓ１０５）。
【００８８】
符号化は、ワンタッチキー０２に登録されている送信モードの設定に従い、ＭＭＲ圧縮のＴｉｆｆ　Ｐｒｏｆｉｌｅ−Ｓ形式の画像ファイルを作成する（Ｓ１０６）。また、ＦＴＰによる送信の場合、電子メールのヘッダは作成しない。
【００８９】
その後、サーバへの接続において、ＦＴＰによる送信の場合、ワンタッチキーの登録項目にある送信モード内のＦＴＰ送信設定の各登録内容を使ってＦＴＰサーバに接続し、ファイルの送信を行う（Ｓ１０７）。
【００９０】
本実施の形態では、ＦＴＰサーバｆｔｐ．ａｂｃｄ．ｃｏ．ｊｐに対してログイン名”ｔａｒｏ”，パスワード”ｓＸ２９ｙＷ”でログインを行い、上記サーバの”／ｐｕｂ／ｆａｘｒｃｖ”ディレクトリに上記手順で作成したファイルをｐｕｔする。
【００９１】
ＦＴＰによる詳細な手順については、ＲＦＣで規程されており、本実施の形態もその規程に従って処理を行っている為、詳細な説明は省略する。
【００９２】
ＦＴＰサーバにファイルを送信後、通信結果記憶処理において、ＦＴＰで送信を行なった旨を記憶し、送信処理を終了する（Ｓ１０９）。
【００９３】
以上の手順により、送信時に、”ＩＦＡＸ−Ｓｉｍｐｌｅモード”か”ＩＦＡＸ−Ｆｕｌｌモード”か”Ｅ−Ｍａｉｌモード”か”ＦＴＰモード”かを判別して通信結果を記憶することになり、ユーザは、どの送信データをどのような通信プロトコルで送信したかを用意に把握することができる。
【００９４】
＜受信処理＞
次に、受信動作について図１０、図１１を用いて説明する。本ファクシミリ装置は、ＰＯＰ３による受信機能と、ＦＴＰによる受信機能とを有している。
【００９５】
受信動作として、まずは、受信データの通信方法の判別を行う（Ｓ３００）。
【００９６】
ここで、Ｇ３やＧ４通信方式にて受信していた場合は、従来のファクシミリ受信時の復号処理に移行する（Ｓ３０５）。この処理については、従来どおりであるので、ここでの詳述は行わない。
【００９７】
通信方式が、ＰＯＰまたはＳＭＴＰであった場合、Ｓ３０１の画像解析処理で電子メールの解析及び、添付画像ファイルの解析を行って、受信モードの判別を行う。
【００９８】
ＰＯＰ３の受信は、定期的に登録されたＰＯＰ３サーバに問い合わせを行い、自機宛のメールがあった場合、そのメールをサーバから読み込む動作を行う。ユーザデータに登録されている、ＰＯＰ３の受信間隔、もしくは、手動によるＰＯＰ３の受信動作により、ＰＯＰ３サーバへの問い合わせを行う。自機宛のメールが届いている場合、届いているメールを自機のメモリに読み込む。
【００９９】
なお、ＰＯＰ３サーバへの問い合わせ、メールの読み込み動作までは、Ｓｉｍｐｌｅモード、Ｆｕｌｌモード、Ｅ−Ｍａｉｌモードのいずれにおいても同じ処理を行なう。
【０１００】
また、ここでは、ＰＯＰの動作についてはＲＦＣで規程がされているため、詳細な説明は省略する。
【０１０１】
以下に、ステップＳ３０１での受信モードの判別処理を図１０を用いて説明する。
【０１０２】
受信した電子メールの解析において、ＭＩＭＥヘッダの解析を行う（Ｓ２０１）。
【０１０３】
ここで、”ｃｏｎｔｅｎｔ−ｔｙｐｅ　ｉｍａｇｅ／ｔｉｆｆ；　ａｐｐｌｉｃａｔｉｏｎ＝”というＭＩＭＥヘッダが指定されてない場合は、ＩＦＡＸのＳｉｍｐｌｅモードでもＦｕｌｌモードでもなく、Ｅ−Ｍａｉｌモードと判断する（Ｓ２０２→Ｓ２０９）。
【０１０４】
また、上記ＭＩＭＥヘッダのパラメータが、”ｆａｘｂｗ”でも”ｆａｘｃｏｌｏｒ”でもない場合は、ＩＦＡＸのＳｉｍｐｌｅモードでもＦｕｌｌモードでもなくＥ−Ｍａｉｌモードと判断する（Ｓ２０２→Ｓ２０３→Ｓ２０４→Ｓ２０９）。
【０１０５】
上記ヘッダが存在し、”ｆａｘｂｗ”という指定があった場合、次に、添付画像データであるＴｉｆｆファイルを解析を行う（Ｓ２０３→Ｓ２０７）。
【０１０６】
ＴＩＦＦ解析処理において、Ｔｉｆｆ　Ｐｒｏｆｉｌｅ−Ｓフォーマットであるか判別し、Ｔｉｆｆ　Ｐｒｏｆｉｌｅ−Ｓであれば、Ｓｉｍｐｌｅモードであると判断する（Ｓ２０８→Ｓ２１１）。
【０１０７】
ＴＩＦＦ解析処理において、”ｆａｘｃｏｌｏｒ”でかつＴＩＦＦ　Ｐｒｏｆｉｌｅ−Ｓ形式か（Ｓ２０４→Ｓ２０５→Ｓ２０６→Ｓ２１０）、もしくは、ファイルがＴＩＦＦ　Ｐｒｏｆｉｌｅ−Ｓ形式であれば（Ｓ２０３→Ｓ２０７→Ｓ２０８→Ｓ２０６→Ｓ２１０）、Ｆｕｌｌモードであると判断する（Ｓ２０２→Ｓ２０９）。このように、電子メールヘッダ部分の解析及び、添付画像ファイルの解析結果から、”ＩＦＡＸ−Ｓｉｍｐｌｅモード”か”ＩＦＡＸ−Ｆｕｌｌモード”か”Ｅ−Ｍａｉｌモード”かを判別し、添付画像のファイルの復号処理（Ｓ３０２）に移行する。
【０１０８】
一方、ＦＴＰによる受信では、送信先から自機に対してＦＴＰによる接続を行ってくる。そして、受信モードがＦＴＰ受信であると判断すると同時にステップＳ３０５に進み、ログイン要求に応答する。すなわち、自機は、ＦＴＰ制御部において、送信側からのログイン要求に応答し、送信されてくるユーザＩＤとパスワードが自機に登録されている場合、ログインを許可する。
【０１０９】
次に、ステップＳ３０６で送信側から指定したディレクトリに対して画像ファイルが送信され、ファイルの転送が完了した後、指定したディレクトリに置かれた画像ファイルの復号処理を行う（Ｓ３０２）。
【０１１０】
画像の復号処理（Ｓ３０２）において、解析不能なデータであった場合や、受信画像を削除しない設定にしてある場合、画像データをメモリに蓄積したままにしておく（Ｓ３０３）。
【０１１１】
また、復号できた場合は、記録部から画像を印字し、画像データをメモリから削除して、受信処理を終了する。
【０１１２】
受信処理の終了後、通信結果記憶処理において、通信管理番号と受信モードが記憶される（Ｓ３０４）。
【０１１３】
以上の手順により、受信時に”ＩＦＡＸ−Ｓｉｍｐｌｅモード”か”ＩＦＡＸ−Ｆｕｌｌモード”か”Ｅ−Ｍａｉｌモード”か”ＦＴＰモード”かの判別が行うことができる。
【０１１４】
＜レポートの出力＞
以上の送信、受信の動作によって、通信ごとに送信・受信の種類が通信結果記憶処理によって記憶された通信の結果を、通信管理レポートとして出力する（図１２）。通信管理レポートの出力は、ユーザによる操作部（１０３）からのプリントアウトの指示によって行ってもよいし、所定の通信を行うごとに（例えば５０通信ごとに）通信管理レポートを出力するようにしてもよい。
【０１１５】
インターネット経由でのファクシミリ送受信においても、通信モードの判別を行い、通信結果として記憶されているので、通信管理レポートでは、従来の公衆回線経由の通信と同様に、通信モードを区別することができる。
【０１１６】
特にＦＴＰプロトコルの場合は、図示されるようにＦＴＰサーバのＩＰアドレスだけでなく、図８で示されるＦＴＰユーザ名、ＦＴＰディレクトリも記載するようにすれば、問合せが容易にできるという顕著なメリットがある。
【０１１７】
（本実施形態の効果）
従来の通信管理レポートでは、通信の時刻、通信相手、通信時間、通信枚数などとともに、一般公衆回線における通信モード（Ｇ３，Ｇ４，ＥＣＭ）とインターネット経由での通信との区別しか行えなかったが、上述の処理によって、インターネットを経由する様々な通信の種類（通信プロトコル）を判別し、記憶することで、通信管理のレポートにどの通信がどのプロトコルで行われたのかを記録することができ、ユーザはそれらの情報を容易に知ることができる。
【０１１８】
それによって、同じＬＡＮやＷＡＮなどのネットワークとの間で様々なプロトコルで画像情報を送信する場合でも、通信管理レポートにＬＡＮやＷＡＮで送受信したプロトコルや受信したサーバの情報が判別できるので、受信側に対し、容易に送信内容の問合せを行なうことができる。
【０１１９】
受信側でも、実行された通信プロトコルがわかることによって、電子メールアプリケーションで受信したのか、ＦＴＰサーバで受信したのか、或いは、プリントアウトされデータは残っていないのか、などが容易に判別できるようになり、受信した画像の格納場所が容易に把握できる。
【０１２０】
また、インターネット経由での画像送受信において同じ宛先に対してエラーが起こった場合、どのプロトコルでエラーが起きているのかがわかれば、ユーザやサービスマンが障害の原因を特定できる。
【０１２１】
特に、標準化団体であるＩＴＵ−ＴによってＴ．３７及びＦ．１８５に準じたＳｉｍｐｌｅモード、Ｔ．３７，Ｔ．３７Ａｍｄ１及びＦ．１８５に準じたＦｕｌｌモードという規程に準拠したインターネットファクシミリ装置の場合、プリント受信する機能と、Ｅ−Ｍａｉｌで受信する機能と、ＦＴＰで受信する機能とを搭載し、それぞれ情報の出力の仕方が異なるため、どのような方法（プロトコル）で情報を受信したのかが判別できなければ、通信レポートを見ても、所望の受信情報を入手することが極めて困難になる。従って、本実施形態のように通信レポートにプロトコル判別情報を盛り込むことは、この種のインターネットファクシミリ装置において、入手した情報の在処を探し出す場合に非常に顕著な効果を生みだすことになる。
【０１２２】
（他の実施形態）
以上、本発明の実施形態として、ファクシミリ装置について説明したが本発明はこれに限定されるものではなく、ファクシミリ通信機能を有さない通信装置にも適用可能である。すなわち、複数の通信プロトコルで情報通信可能な装置であればよい。また、ここではレポートをプリントする記録部を出力手段として示しているが、本発明に係る出力手段はこれに限定されるものではなく、レポートを出力できるものであれば、ディスプレイなどの表示部でも良い。
【０１２３】
また、本発明は、複数の機器から構成されるシステムに適用しても良いし、また、一つの機器からなる装置に適用しても良い。
【０１２４】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【０１２５】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【０１２６】
その場合、プログラムの機能を有していれば、オブジェクトコード、インタプリタにより実行されるプログラム、ＯＳに供給するスクリプトデータ等、プログラムの形態を問わない。
【０１２７】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１２８】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【０１２９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１３０】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１３１】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【０１３２】
【発明の効果】
本発明によれば、どの通信がどのプロトコルで行なわれたかを把握でき、ユーザにとって使い勝手の良い通信装置、通信方法、プログラム及び記憶媒体を提供することができる。
【図面の簡単な説明】
【図１】本発明の実施形態に係る画像通信装置の構成を示すブロック図である。
【図２】本発明の実施形態に係るＲＡＭとＲＯＭの内容を示す図である。
【図３】本発明の実施形態に係るネットワーク設定の登録内容を示す図である。
【図４】本発明の実施形態に係る電子メール送信設定の登録内容を示す図である。
【図５】本発明の実施形態に係るユーザデータ登録の送信モードの登録内容を示す図である。
【図６】本発明の実施形態に係るワンタッチキーの登録内容を示す図である。
【図７】本発明の実施形態に係るＰＯＰ３受信設定の登録内容を示す図である。
【図８】本発明の実施形態に係るＦＴＰ受信設定の登録内容を示す図である。
【図９】本発明の実施形態に係るファクス送信処理を示すフローチャートである。
【図１０】本発明の実施形態に係る電子メール解析処理を示すフローチャートである。
【図１１】本発明の実施形態に係る受信データ処理を示すフローチャートである。
【図１２】本発明の実施形態に係る通信結果レポートの一例を示す図である。
【符号の説明】
１００　ＣＰＵ
１０１　ＲＯＭ
１０２　ＲＡＭ
１０３　操作部
１０４　表示部
１０５　ネットワーク通信ボード
１０６　画像読取部
１０７　モデム
１０８　ＮＣＵ
１０９　回線制御部
１１０　記録部
【図１】
2004015649.tif 000003
【図２】
2004015649.tif 000004
【図３】
2004015649.tif 000005
【図４】
2004015649.tif 000006
【図５】
2004015649.tif 000007
【図６】
2004015649.tif 000008
【図７】
2004015649.tif 000009
【図８】
2004015649.tif 000010
【図９】
2004015649.tif 000011
【図１０】
2004015649.tif 000012
【図１１】
2004015649.tif 000013
【図１２】
2004015649.tif 000014